(57)【要約】      （修正有）【課題】ポンプを使用せずに減圧状態を利用して、表面処理槽の表面処理液をプール槽に移送するから、迅速で使用済みの表面処理液中に含まれる粒子径の大きさ、材質等にかかわりなく、堆積した沈殿物の移送も可能となる。移送した表面処理液は、混入している切り粉、金属粉、その他の沈殿物を沈殿液化槽内に沈下し、この沈殿液化槽とプール槽とは開閉バルブによって連通を遮断する事が出来るから、表面処理液の移送に伴う流動の影響を沈殿物が受ける事が無く、沈殿した沈殿物が浮上して表面処理槽に流入する等の事態は生じる事がないものである。【解決手段】被処理物の表面処理を表面処理液５により行う表面処理槽１を設け、表面処理を行い汚染された表面処理液５を回収するプール槽４に減圧機構６を接続する。このプール槽４の下端に、開閉バルブ８を介してプール槽４内の沈殿物１３を導入する沈殿液化槽１１を接続する。【選択図】図１
2006167643.tif 000002
【特許請求の範囲】
【請求項１】
被処理物の表面処理を表面処理液により行う表面処理槽と、この表面処理槽で被処理物の表面処理を行い汚染された表面処理液を回収して収納可能とすると共に減圧機構に接続し、内部を減圧可能としたプール槽と、このプール槽の下端に、開閉バルブを設けた連通パイプを介して連通し、プール槽内の沈殿物を導入する沈殿液化槽とから成ることを特徴とする表面処理液の濾過装置。
【請求項２】
プール槽は、圧力気体を充填する機構を接続した事を特徴とする請求項１の表面処理液の濾過装置。
【請求項３】
プール槽と表面処理槽とは、プール槽と表面処理槽の間を相互に表面処理液を移送し得る移送管により接続した事を特徴とする請求項１または２の表面処理液の濾過装置。
【請求項４】
プール槽と表面処理槽とは、プール槽から表面処理槽へ表面表面処理液を移送する戻し管と、表面処理槽からプール槽へ表面処理液を移送する移送管により接続した事を特徴とする請求項１または２の表面処理液の濾過装置。
【請求項５】
戻し管には、表面処理液を清浄化する清浄化機構を配置した事を特徴とする請求項４の表面処理液の濾過装置。
【発明の詳細な説明】
【技術分野】
【０００１】
本発明は被洗浄物の洗浄に用いる洗浄液、メッキ液、切削若しくは圧延等に用いる表面処理液、表面処理工程に使用する表面処理液、その他の使用済みの表面処理液中から、沈殿可能な沈殿物を除去する濾過装置に係るものである。
【背景技術】
【０００２】
従来、上述の如き液体の濾過を行うには、被処理物の表面処理を行い、使用済みの表面処理液を収納した表面処理槽内で一定の時間を掛けて沈殿可能な沈殿物を沈殿させ、上澄みを再使用する方法が用いられている。
【０００３】
また、他の方法は、表面処理槽とは別個に設けた沈殿槽に、使用済みの表面処理液をポンプを利用して移送し沈殿物を沈殿させ上澄みを再使用する方法が用いられている。
【０００４】
また、使用済みの表面処理液を濾過材を用いて濾過する事により再使用する事も行われている。
【発明の開示】
【発明が解決しようとする課題】
【０００５】
しかしながら、表面処理槽内で一定の時間を掛けて沈殿可能な沈殿物を沈殿させ上澄みを再使用する方法は、沈殿物を沈殿させる時間中は表面処理槽の使用が出来ず、作業を非効率なものとするし、沈殿した沈殿物を次回の使用時までに表面処理槽から除去しなければならず、この除去処理にも多くの時間と費用を必要とする欠点を有している。
【０００６】
また、表面処理槽とは別個に設けた沈殿槽に、使用済みの表面処理液をポンプを利用して移送し、沈殿物を沈殿させ上澄みを再使用する方法は、使用済みの表面処理液の移送にポンプを利用するため、ポンプの耐液性、耐薬品性、耐熱性等に因って、使用可能なポンプに制約があり、濾過可能な使用済みの表面処理液に制限が生じる場合が多い。また、使用済みの表面処理液に含まれる粒子の大きさ、材質等によりポンプを破損したり、これを圧送する事ができない場合があるとともにポンプの能力によって流量が決まるため、ポンプによる場合は急激な使用済みの表面処理液の移送は困難なものである。
【０００７】
また、使用済みの表面処理液を濾過材を用いて濾過する事により再使用する方法は、濾過材に目詰まりを生じやすく、頻繁に濾過材を交換しなければならず多くの手数を要すると共に不経済なものであった。
【０００８】
本発明は、上述の如き課題を解決しようとするものであって、ポンプを使用せずに減圧状態を利用して、表面処理槽の表面処理液をプール槽に迅速に移送し、使用済みの表面処理液中に含まれる粒子径の大きさ、材質等にかかわりなく、堆積した沈殿物の移送も可能とする。また、移送した表面処理液は、混入している切り粉、金属粉、その他の沈殿物をプール槽とは別個に設けた沈殿液化槽内に沈下し、この沈殿液化槽とプール槽とを開閉バルブによって連通を遮断することにより、表面処理液の移送に伴う流動の影響を沈殿物に与える事が無く、表面処理槽に処理後の表面処理液のみを流入させる事を可能にしようとするものである。
【課題を解決するための手段】
【０００９】
本発明は、上述の如き課題を解決するため、被処理物の表面処理を表面処理液により行う表面処理槽と、この表面処理槽で被処理物の表面処理を行い汚染された表面処理液を回収して収納可能とすると共に減圧機構に接続し、内部を減圧可能としたプール槽と、このプール槽の下端に、開閉バルブを設けた連通パイプを介して連通し、プール槽内の沈殿物を導入する沈殿液化槽とから成るものである。
【００１０】
また、プール槽は、圧力気体を充填する機構を接続したものであっても良い。
【００１１】
また、プール槽と表面処理槽とは、プール槽と表面処理槽の間を相互に表面処理液を移送し得る移送管により接続したものであっても良い。
【００１２】
また、プール槽と表面処理槽とは、プール槽から表面処理槽へ表面表面処理液を移送する戻し管と、表面処理槽からプール槽へ表面処理液を移送する移送管により接続したものであっても良い。
【００１３】
また、戻し管には、表面処理液を清浄化する清浄化機構を配置したものであっても良い。
【発明の効果】
【００１４】
本発明は、上述の如く構成したため、プール槽を減圧機構によって減圧した状態に於て、表面処理槽とプール槽とを連通すれば、使用済みの表面処理液はプール槽内に負圧によって急激に移送される。この移送は、ポンプを使用するものではないから、プール槽の減圧状態に応じて、表面処理槽内の使用済みの表面処理液は急激に迅速な移動を可能とするから、処理すべきポンプの耐薬品性、耐熱性等に制約される事がない。また、使用済みの表面処理液中に含まれる粒子径の大きさ、材質等にかかわりなく、濾過作業を迅速に行う事ができる。また、表面処理槽の下底に堆積した沈殿物も使用済みの表面処理液と共に迅速に濾過手段に導入し、ポンプを用いた作業では困難であった、堆積した沈殿物の導入も可能となる。
【００１５】
また、プール槽に導入された使用済みの表面処理液は、開閉バルブを開放してプール槽と沈殿液化槽とを連通することにより、使用済みの表面処理液内に混入している切り粉、金属粉、その他の沈殿物は連通パイプを介して沈殿液化槽内に沈下し、この沈殿液化槽に沈下した沈殿物は、プール槽とは開閉バルブによって連通を遮断する事が出来るから、表面処理液をプール槽から表面処理槽に戻す場合も、この戻しに伴う流動の影響を受ける事が無く、沈殿した沈殿物が浮上して表面処理槽に流入する等の事態は生じる事がないものである。
【００１６】
また、この沈殿物は、そのまま除去しても良いが、沈殿液化槽に沈殿物が堆積した状態で開閉弁を開放し、減圧機構を作動させる事により、プール槽を介して沈殿液化槽内を負圧状態とすれば、沈殿液化槽内の、液を付着させた沈殿物は、減圧による沸点の低下によって使用済みの表面処理液が揮発し、減圧機構側に吸引されるから、沈殿液化槽内の沈殿物を乾燥状態とすることができる。これを沈殿液化槽内から取り出す事によって液付着のない沈殿物とする事ができ、環境に及ぼす影響も少なく、処理が極めて容易となるものである。
【実施例１】
【００１７】
以下、本発明の一実施例を図１に於て説明すれば、(１)は表面処理槽で、被洗浄物の洗浄に用いる洗浄液、メッキ液、切削若しくは圧延等に用いる表面処理液、表面処理工程に使用する表面処理液等の適宜の工業上の処理に使用する液を収納し、目的とする被処理物の表面処理を行うものである。
【００１８】
また、この表面処理槽(１)には、移送管(２)及び連通制御弁(３)を介してプール槽(４)を接続し、表面処理槽(１)で被処理物の表面処理を行い汚染された表面処理液(５)をプール槽(４)に回収して収納可能とする。また、このプール槽(４)はバキュームポンプ等の減圧機構(６)に接続し、内部を減圧可能としている。また、このプール槽(４)は圧力気体を充填する機構(図示せず)に接続した加圧パイプ(７)を接続し、内部に加圧気体の導入を可能としている。
【００１９】
また、このプール槽(４)の下端には、開閉バルブ(８)を設けた連通パイプ(１０)を介して連通し、プール槽(４)内の沈殿物(１３)を導入する沈殿液化槽(１１)を接続している。この沈殿液化槽(１１)は、沈殿作業中において表面処理液(５)を常時満たしておき、プール槽(４)からの沈殿物(１３)の導入を可能としている。また、沈殿液化槽(１１)には沈殿物(１３)の取出口(１２)を形成している。
【００２０】
上述の如く構成したものにおいて、洗浄作業、メッキ作業、金属素材の切削加工に用いる切削油、その他の表面処理作業使用後の表面処理液(５)の濾過を行うには、開閉バルブ(８)を閉止してからプール槽(４)を減圧機構(６)によって減圧する。このプール槽(４)の減圧状態に於て連通制御弁(３)を開放し、表面処理槽(１)とプール槽(４)とを連通すれば、使用済みの表面処理液(５)はプール槽(４)内が負圧のため、プール槽(４)内に急激に移送される。この移送は、ポンプを使用するものではないから、プール槽(４)の減圧状態に応じて、表面処理槽(１)内の使用済みの表面処理液(５)は急激に迅速な移動を可能とする。
【００２１】
また、ポンプを利用する事がないから、処理すべきポンプの耐薬品性、耐熱性等に制約される事がない。また、使用済みの表面処理液(５)中に含まれる粒子径の大きさ、材質等にかかわりなく、プール槽(４)に移送し濾過作業を迅速に行う事ができる。また、表面処理槽(１)の下底に堆積した沈殿物(１３)も使用済みの表面処理液(５)と共に迅速にプール槽(４)に導入し、ポンプを用いた作業では困難であった、堆積した沈殿物(１３)の導入も可能となる。
【００２２】
そして、プール槽(４)に導入された使用済みの表面処理液(５)は、開閉バルブ(８)を開放してプール槽(４)と沈殿液化槽(１１)とを連通することにより、使用済みの表面処理液(５)内に混入している切り粉、金属粉、その他の沈殿物(１３)は連通パイプ(１０)を介して沈殿液化槽(１１)内に沈下する。一定時間の経過により、沈殿物(１３)の沈殿液化槽(１１)内への沈下が完了すれば、プール槽(４)内には沈殿物(１３)は存在しないか、存在しても極少量のものとなる。この状態で、開閉バルブ(８)を閉止してプール槽(４)と沈殿液化槽(１１)との連通を遮断した後、表面処理槽(１)内に表面処理液(５)を戻して再使用する事が可能となる。
【００２３】
また、沈殿液化槽(１１)に沈下した沈殿物(１３)は、プール槽(４)とは開閉バルブ(８)によって連通を遮断する事が出来るから、表面処理液(５)をプール槽(４)から表面処理槽(１)に戻す場合も、この戻しに伴う流動の影響を受ける事が無く、沈殿した沈殿物(１３)が浮上してプール槽(４)や表面処理槽(１)に流入する等の事態は生じる事がないものである。
【００２４】
このように、使用済みの表面処理液(５)をプール槽(４)に導入し、沈殿物(１３)を沈殿液化槽(１１)に堆積させ、堆積量が増加した場合には、そのまま沈殿物(１３)を除去しても良いが、未処理の状態で沈殿物(１３)を除去すると、沈殿物(１３)に洗浄溶剤、切削油、メッキ液等の使用済みの表面処理液(５)が付着したまま廃棄を行うものとなり、環境に及ぼす影響が大きく好ましくない。
【００２５】
そこで、沈殿液化槽(１１)に沈殿物(１３)が堆積した状態で開閉バルブ(８)を開放し、減圧機構を作動させる事により、プール槽(４)を介して沈殿液化槽(１１)内を負圧状態とすれば、沈殿液化槽(１１)の、液を付着させた沈殿物(１３)は、減圧による沸点の低下によって使用済みの表面処理液(５)が揮発し、減圧機構(６)側に吸引されるから、沈殿液化槽(１１)内の沈殿物(１３)は乾燥状態となる。これを沈殿液化槽(１１)内から取り出す事によって液付着のない沈殿物(１３)とする事ができ、環境に及ぼす影響も少なく、処理が極めて容易となるものである。また、揮発させた使用済みの表面処理液(５)は凝縮して再利用する。また、沈殿液化槽(１１)に適宜の加熱機構(図示せず)を設け沈殿物(１３)を加熱すれば、減圧による沸点の低下によって行う、使用済みの表面処理液(５)の揮発を促進する事ができるとともに低温時でも、確実な揮発を可能とする事ができ好都合なものである。
【００２６】
また、プール槽(４)に圧力気体を充填する機構を接続すれば、沈殿濾過を完了した液を移送する場合に、プール槽(４)内に圧力気体を導入する事によって、沈殿濾過済の表面処理液(５)を急速に表面処理槽(１)に移送する事が可能となる。
【実施例２】
【００２７】
また、上記実施例では、使用済み表面処理液(５)の沈殿物(１３)を沈殿液化槽(１１)内に沈殿させることのみで表面処理液(５)の濾過を行っているが、異なる第２実施例では、図２に示す如く、表面処理液(５)の更に精密な濾過を目的とする場合には、プール槽(４)から表面処理槽(１)へ表面処理液(５)を移送する戻し管(１４)を、表面処理槽(１)からプール槽(４)に表面処理液(５)を移送する移送管(２)とは別個に形成し、この戻し管(１４)にフイルター等の清浄化機構(１４)を設置し、戻し表面処理液(５)を濾過する事により、戻し表面処理液(５)の濾過度合いを高める事が可能となる。
【図面の簡単な説明】
【００２８】
【図１】本発明の第１実施例を示す断面図。
【図２】本発明の第２実施例を示す断面図。
【符号の説明】
【００２９】
１    表面処理槽
２    移送管
４    プール槽
５    表面処理槽
６    減圧機構
８    開閉バルブ
１０    連通パイプ
１１    沈殿液化槽
１３    沈殿物
１４    戻し管
１５    清浄化機構
【図１】
2006167643.tif 000003
【図２】
2006167643.tif 000004
【手続補正書】
【提出日】平成17年12月2日(2005.12.2)
【手続補正１】
【補正対象書類名】特許請求の範囲
【補正対象項目名】請求項４
【補正方法】変更
【補正の内容】
【請求項４】
プール槽と表面処理槽とは、プール槽から表面処理槽へ表面処理液を移送する戻し管と、表面処理槽からプール槽へ表面処理液を移送する移送管により接続した事を特徴とする請求項１または２の表面処理液の濾過装置。
【手続補正２】
【補正対象書類名】明細書
【補正対象項目名】００１２
【補正方法】変更
【補正の内容】
【００１２】
また、プール槽と表面処理槽とは、プール槽から表面処理槽へ表面処理液を移送する戻し管と、表面処理槽からプール槽へ表面処理液を移送する移送管により接続したものであっても良い。
【手続補正３】
【補正対象書類名】明細書
【補正対象項目名】００２７
【補正方法】変更
【補正の内容】
【００２７】
また、上記実施例では、使用済み表面処理液(５)の沈殿物(１３)を沈殿液化槽(１１)内に沈殿させることのみで表面処理液(５)の濾過を行っているが、異なる第２実施例では、図２に示す如く、表面処理液(５)の更に精密な濾過を目的とする場合には、プール槽(４)から表面処理槽(１)へ表面処理液(５)を移送する戻し管(１４)を、表面処理槽(１)からプール槽(４)に表面処理液(５)を移送する移送管(２)とは別個に形成し、この戻し管(１４)にフイルター等の清浄化機構(１５)を設置し、戻し表面処理液(５)を濾過する事により、戻し表面処理液(５)の濾過度合いを高める事が可能となる。